(57)【要約】【課題】子供のおもちゃとして利用可能な、オールインワンのコンパクトなスライド投影システムを提供する。【解決手段】光源ユニットと、この光源からの放出光を横切る位置にフィルム配置部が設けられたフィルム配置ユニットと、このフィルムを透過した光を光投影する投影レンズと、このレンズからの投影光を結像するスクリーンと、前記光源、フィルム配置ユニット、投影レンズユニット、及びスクリーンを収納する本体ケースとを有することを特徴とする画像表示装置であり、特に発光素子を光源として用いると共に、本体ケース内にオプション機器を搭載可能とした。【選択図】    図１
2004280032.tif 000002
【特許請求の範囲】
【請求項１】
光源ユニットと、この光源からの放出光を横切る位置にフィルム配置部が設けられたフィルム配置ユニットと、このフィルムを透過した光を光投影する投影レンズと、このレンズからの投影光を結像するスクリーンと、前記光源、フィルム配置ユニット、投影レンズユニット、及びスクリーンを収納する本体ケースとを有することを特徴とする画像表示装置。
【請求項２】
前記フィルム配置ユニットには、フィルムを配置したとき、自動的に前記光源を点灯する光源点灯スイッチを有することを特徴とする請求項１項記載の画像表示装置。
【請求項３】
前記フィルム配置ユニットには、フィルムを配置する開口を有することを特徴とする請求項１項記載の画像表示装置。
【請求項４】
前記フィルム配置ユニットには、フィルムを配置するスリットを有し、このスリットに前記フィルムを連続的に供給するフィルム供給ユニットを有することを特徴とする請求項１項記載の画像表示装置。
【請求項５】
前記光源ユニットとフィルム配置ユニットと、投影レンズユニットは、一体構成を成し、前記本体ケースから脱着可能であることを特徴とする請求項１項記載の画像表示装置。
【請求項６】
前記光源ユニットは、半導体発光素子からなることを特徴とする請求項１項記載の画像表示装置。
【請求項７】
前記本体ケースには、オプション機器の搭載部を有することを特徴とする請求項１項記載の画像表示装置。
【発明の詳細な説明】
【０００１】
【発明の属する技術分野】本発明は、簡易スライド投影おもちゃに関するものである。
【０００２】
【従来の技術】近年、デジタルカメラやパーソナルコンピュータが普及し、従来のフィルムを用いたカメラが少なくなってきている。
【０００３】映画もデジタル化が進み、画像データは、デジタルで保存することが多くなってきた。
【０００４】
【発明が解決しようとする課題】近年のデジタル化した画像データしか知らない子供は、フィルムに記録された画像の美しさや、そのフィルムを用いた投影画像の美しさを理解するのは困難である。
【０００５】そこで本発明の目的は、フィルムによる画像を手軽に利用することを可能とし、子供がアナログのフィルム画像に興味を持てるようなスライド投影システムを提供することにある。
尚、従来例として、特開５−３４８３０号がある。
これは、ピストル型の投影機と、エンドレスな投影用フィルムからおもちゃである。しかしながら、エンドレスフィルムを収納した専用のカセットを用いる必要があり、あまり普及しなかった。本発明では、個人的に撮影したフィルムをも投影できると共に、全ての構成物を本体ケースに収納したコンパクトなスライド投影システムを提供することを目的としている。
【０００６】
【課題を解決するための手段】光源ユニットと、この光源からの放出光を横切る位置にフィルム配置部が設けられたフィルム配置ユニットと、このフィルムを透過した光を光投影する投影レンズと、このレンズからの投影光を結増するスクリーンと、前記光源、フィルム配置ユニット、投影レンズユニット、及びスクリーンを収納する本体ケースとを有することを特徴とする画像表示装置である。
【０００７】
【発明の実施の形態】以下、図に沿って本発明の実施形態を説明する。図１は本発明の実施形態の全体構成を示す斜視図である。この図において、１はスライド投影ユニットであり、光源ユニット２、フィルム配置ユニット３、及び投影レンズユニット４、及びこのレンズユニット４を保護する図示しない保護カバーからなる。
このスライド投影ユニット１は、本体ケース６に脱着可能に収納される。また、本体ケース６には分割された蓋１０ａ、１０ｂが設けられており、蓋１０ａは開いた状態で垂直に固定される。この蓋１０ａの内側には白色の投影用スクリーン７が設けられている。
尚、１１は後述する小型ライトテーブルや、音声出力ユニット等のオプション機器を配置するオプション機器搭載部である。
【０００８】続いて、図２、図３にスライド投影ユニットの詳細を示す。光源ユニット２は、ＬＥＤ（半導体発光素子）を用いた光源であり、複数の白色ＬＥＤからなり、スライド投影ユニット１に着脱可能に保持される。この光源ユニット２は、赤色、青色、及び緑色の３種類のＬＥＤで構成し、３色を同時に発光することで白色光を生成してもよい。
【０００９】フィルム配置ユニット３はスライド９を挿入しやすくするために、入口が広げらた開口であるスライド挿入部３ａを有している。このフィルム配置ユニット３には、光源のスイッチ（マイクロスイッチ）３ｃがスライドが挿入される部位の直下に設けられており、スライド９を挿入するとスイッチ３ｃが押され光源２は点灯し、スライド９を取外す（持ち上げる）と、光源２は消灯する。尚、フィルム配置ユニット３にはメインスイッチ３ｂが設けられているが、このメインスイッチ３ｂは、スライド挿入開部３ａが識別できる程度に光源のＬＥＤの１つを部分的に点灯するものである。
尚、光源のスイッチ３ｃは、スライドが挿入される部位の直下でなく、側面に設けてもよい。
【００１０】投影レンズユニット４は、複数のレンズから構成され、光源側のレンズは、挿入されたスライドに焦点を有するレンズが用いられ、他のレンズの位置を移動することにより、結像距離が調節される。
通常は、スライド投影ユニットを本体ケースに配置した状態で、ケースの蓋の裏に設けられたスクリーン７に結像するように設定される。スライド投影ユニットを本体ケースから取り外した場合は、レンズを調節することにより、レンズから３ｍ以内の範囲内に結像が得られる。
【００１１】フィルム配置ユニット３はケース状の構造体からなり、この構造体に光源から投影レンズに至る光路、スライド挿入部、このスライド保持部から離間して、投影レンズが設けられ、この構造体は、キャラクターの外形を有する保護部材で覆われる。
【００１２】また、保護部材のキャラクタの体型的特長を成す一部、例えば本実施例では鼻を、メインスイッチとしての機能させ、この鼻を押すと、スライド投影ユニットに設けられたメインスイッチのオンとオフが切り替わるようにしてもよい。尚、投影口は透明な樹脂材が用いられている。
【００１３】この実施例のスライド投影ユニットは、本体から取外した場合、例えば、寝ながら映像を鑑賞するために、天井に投影して利用することも可能である。
【００１４】通常のスライドプロジェクタでは、光源としてハロゲンランプ等の高出力ランプを設けているが、本実施例のような大画面を必要としない場合は、そのような高出力ランプを用いる必要がなく、ＬＥＤ光源を用いている。
このＬＥＤ光源は、６個の高出力白色ＬＥＤ（通称パワーＬＥＤと呼ばれる。）が並列に接続されたものであり、メインスイッチ３ｂにより、１つだけ点灯し、スライド９を挿入した場合に全てが点灯する。
尚、出力を高めるために、６個以上のＬＥＤを設けてもよい。
更に、各ＬＥＤへの供給電流を変更する手段を設け、回転式のノブにより、光の強さを可変としてもよい。
また、点滅用スイッチを設け、スイッチのオン、オフにより、ＬＥＤを点滅させる機能を付加してもよい。
通常のプロジェクタに用いるランプは、高出力であり、かつ発光効率はさほど高くないため、冷却手段が必要となるが、ＬＥＤを用いた本光源は、ファン等の冷却手段は不要となる。
また、フィルム配置ユニット３には、電池収納部が設けられており、ここに収納されるバッテリ８の電力でＬＥＤは点灯する。
尚、ＡＣ／ＤＣアダプタを接続可能にして、家庭の商用電源でも点灯できるようにしてもよい。
【００１５】また、ＬＥＤは半導体であり、寿命は極めて長いため、交換の必要はないが、より高出力な光源ユニットと交換が可能となるように、光源ユニット１は、フィルム配置ユニットに脱着可能に保持される。
【００１６】次に第２の実施例を図４を用いて説明する。
この実施例では、フィルム配置ユニットのフィルム挿入部３ａが開口ではなく、本体を縦に横切るスリット形状をなしている。
【００１７】また、本実施例では、フィルムは１枚単位ではなく、ロール状に構成されたフィルムカセット１３を有する。
これは、スライド用のユニバーサルフィルムを現像したものを、そのまま収納できるものであり、個人的に撮影したフィルムを本実施例の表示装置で鑑賞することができる。
このフィルムカセット１３のフィルムロール部を回転するアクチュエータ１４をフィルム配置ユニットに有し、このアクチュエータ１４の動作により、フィルムロール部は、画像１枚単位で回転し、フィルム挿入部３ａに投影映像部分が供給される。
【００１８】尚、本実施例では、フィルム配置ユニットに次ボタン１５ａ、及び戻るボタン１５ｂを有し、次ボタン１５ａを押すと、フィルムカセットのフィルムロールは１枚分回転し、戻るボタン１５ｂを押すと、１枚分逆に回転する。
【００１９】次に、第３の実施例を図５を用いて説明する。
本実施例では、フィルム配置ユニットのフィルム挿入部にフォトカプラユニット２０及び、このフォトカプラユニット２０での検出信号を出力するコネクタを２１有し、本体にはフィルム検出ユニット２２が設けられている。このフィルム検出ユニット２２は、フィルム番号検出装置２３、及びこのフィルム番号検出装置２２に前記フォトカプラユニットとオプション機器を接続するコネクタ２４ａ、２４ｂを有している。
オプション機器としては、例えば、音声出力ユニット２５がある。
【００２０】この音声出力ユニット２５は、フィルム保持体３０に設けられたインデックスマークを、先のフィルム番号検出手段で検出した場合、この検出信号に従って音声を出力するものであり、外部記憶媒体例えば、メモリーカード２６の読出し装置２７、及びフィルム検出ユニットから出力されるフィルム番号に対応する音声データをスピーカ２８に出力するマイコンで構成された音声処理部２９を有する。
尚、２４ｃはコネクタであり、本体に設けられたコネクタ２４ｂに接続される。メモリーカード２６をデータ読出し装置２７に挿入した状態で、各フィルムを、フィルム挿入部に挿入すると、フィルム保持体に設けられたインデックスがフォトカプラユニット２０で検出され、この検出信号によって、フィルム番号が認識され、このフィルム番号に従ってメモリ内の音声情報が読み出され出力される。
【００２１】この第３の実施例では、フィルム保持体３０の下端部に図５に示すような、切り欠き３０ａを有し、この切り欠き部３０ａがフィルムのインデックスを示している。
尚、フォトカプラユニット２０は、発光素子と受光素子の対がフィルム保持体を挟んで配置されるものであり、切り欠き部で、切り欠きが形成された場合は発光素子の光が受光素子に到達し、切り欠きが形成されない場合はフィルム保持体で発光素子の光が遮られることによりオン又はオフが出力される。この発光素子と受光素子の対が６つ配置され、６ビット分のフィルムが認識される。
切り欠き部の位置と切り欠き数に従って、メモリーカード２６の音声が指定され、フィルム番号に応じた音声が読み出され、音声出力される。尚、インデックスは、このような切り欠きでなく、バーコードや打ち抜きされた開口を用いてもよい。
【００２２】本実施例では、外部記憶媒体として、メモリーカードを用いたが、コンパクトディスクを用いてもよい。
スライドの番号を認識するシステムでは、単なる絵本的なアプリケーションから、インタラクティブな利用へと応用範囲が広がる。
例えば、子供用の学習アプリケーションが作成できる。
このコンパクトディスクに記録された音声で「犬の絵はどれですか。」と発生し、それに対して子供が犬の絵のスライドをスライド挿入部に挿入した場合「当たりです。」と発音し、犬以外の絵のスライドを挿入した場合「はずれだよ。」と発音するような使い方が可能となる。
スライドの番号を認識するだけでなく、音声案内時からスライド挿入時までの時間を計測してもよい。
例えば、音声案内で「３つ前のスライドを入れて下さい。」と発音してから５秒経過してもスライドが挿入されなかったら「遅いよ。」と音声案内することが可能となる。
【００２３】更に、別のオプション機器としては、マイクロフォンを含む録音手段と外部記憶手段に、音声データを書き込む書込み手段とから構成される録音ユニットがある。
これは、各フィルムのインデックスに対応して、音声を記録するものであり、挿入されているフィルムのインデックス番号が検出され、このインデックス番号が記録された音声データに音声順に付加される。
このメモリーカードを、先の音声出力ユニットに挿入した場合、フィルムのインデックスに対応して、記録された音声が読み出される。
【００２４】尚、本音声出力装置とフィルムとの連携を自動的に行うことなく、フィルムに対応した音声データ側に、フィルムの交換を要求する案内を記録してもよい。例えば、各音声の間に、「次のスライドを入れて下さい。」との案内音声を付加しておけばよい。
【００２５】更に、別のオプションとしては、ライトテーブルがある。これは、ＬＥＤ光源とその上に配置された拡散ガラス及び、電源からなるテーブルであり、このライトテーブルの上にフィルムを配置することで、フィルムの画像を確認するものである。
【００２６】これらのオプション機器は、図６に示すように、全て本体ケース内に収納することができる。ここで、４１は録音ユニットであり、マイクロフォン４０を含む図示しない録音手段と、メモリーカードに、このマイクロフォンで取り込んだ音声データを記録する書込み装置４２からなり、４３は小型ライトテーブルであり、光拡散板４４と図示しないＬＥＤ光源、及びバッテリからなる。
【００２７】
また、本実施例装置を使用しないときは、全てのユニット、オプション機器をケース内に収容した上で、蓋を閉じることでコンパクトにまとめられる。
更に、フィルム番号データをパーソナルコンピュータに伝達する接続端子を設けてもよい。
この構成によって、スライドの出し入れの検出、スライド番号認識、更にスライドの出し入れの時間計測をパーソナルコンピュータで行い、本実施例の装置とパーソナルコンピュータによりスライドを用いた学習システムやゲームを構築してもよい。
【００２８】
【発明の効果】以上述べたように本発明では、フィルムを用いた投影画像を簡易に得られるものであり。さらに光源にＬＥＤを用いることにより、子供にやさしいスライド投影おもちゃを提供することが可能となる。
【図面の簡単な説明】
【図１】図１は、本発明の実施例の形態に係る主要な構成を示す構造図である。
【図２】図２は、第１の実施例を示す断面図である。
【図３】図３は、第１の実施例の斜視図である。
【図４】図４は、第２の実施例の構成図である。
【図５】図５は、第３の実施例を示すブロック図である。
【図６】図６は、第３の実施例の配置を示す構造図である。
【符号の説明】
１：スライド投影ユニット
２：光源ユニット
３：フィルム配置ユニット
４：投影レンズユニット
６：本体ケース
７：スクリーン
【図１】
2004280032.tif 000003
【図２】
2004280032.tif 000004
【図３】
2004280032.tif 000005
【図４】
2004280032.tif 000006
【図５】
2004280032.tif 000007
【図６】
2004280032.tif 000008